(57)【要約】【課題】  エアリード楽器において、思い通りに音色を変えることを可能にする技術を提供する。【解決手段】  エアリード楽器１は、リッププレート２６にウインドウェイ形成部３０を設けて改良したフルートである。ウインドウェイ形成部３０には、一方の開口端３８から流入する呼気を他方の開口端３５から流出してエッジ２４に供給するウインドウェイ４０が形成されている。ウインドウェイ形成部３０は、リッププレート２６に対して着脱可能になっている。エアリード楽器１では、ウインドウェイ４０の長手方向に垂直な断面積が異なる複数のウインドウェイ形成部３０が準備されており、そのうちの演奏者によって選択された１のウインドウェイ形成部３０がリッププレート２６に装着される。【選択図】図１
2017068110.tif 000002
【特許請求の範囲】
【請求項１】
一方の開口端に流入する呼気を他方の開口端から流出してエッジに供給するウインドウェイが形成されたウインドウェイ形成部を有し、
前記ウインドウェイ形成部をウインドウェイの長手方向に垂直な断面積が異なる他のウインドウェイ形成部に交換可能な構成としたことを特徴とするエアリード楽器。
【請求項２】
受け部が設けられたリッププレートを有し、
ウインドウェイの長手方向に垂直な断面積が異なる複数のウインドウェイ形成部の各々には、前記受け部に対応する取り付け部が設けられており、
前記複数のウインドウェイ形成部のうちのいずれか１のウインドウェイ形成部の取り付け部が前記受け部に組み合わされること
を特徴とする請求項１に記載のエアリード楽器。
【請求項３】
一方の開口端に流入する呼気を他方の開口端から流出してエッジに供給するウインドウェイであって、長手方向に垂直な断面積が異なる複数のウインドウェイが形成されたウインドウェイ形成部を有する
ことを特徴とするエアリード楽器。
【請求項４】
一方の開口端に流入する呼気を他方の開口端から流出してエッジに供給するウインドウェイが形成されたウインドウェイ形成部を有し、
前記ウインドウェイ形成部は、前記ウインドウェイの長手方向に垂直な方向に摺動して前記長手方向に垂直な断面の一部を遮蔽する遮蔽部を有する
ことを特徴とするエアリード楽器。
【請求項５】
前記ウインドウェイ形成部は、唄口が形成されたリッププレートに固定され、
前記遮蔽部は、前記唄口の開口面に沿って摺動して、前記ウインドウェイにおける断面の一部を遮蔽するとともに、前記唄口の開口面の一部を遮蔽する
ことを特徴とする請求項４に記載のエアリード楽器。
【発明の詳細な説明】
【技術分野】
【０００１】
この発明は、エアリード楽器に関する。
【背景技術】
【０００２】
エアリード楽器の例として、フルートおよびリコーダが挙げられる。フルートの演奏者は、リッププレートに下唇を押し当てて特定のアンブシュア（唇の形）を作って、唄口のエッジに呼気を吹き付けるようにして演奏する。フルートの演奏者は、このアンブシュアを調節することで音色を変えることができる。
【０００３】
しかし、アンブシュアを作ることや調節することは、演奏者のスキルに大きく依存する。このため、初心者などの演奏スキルの乏しい演奏者がフルートを演奏することは困難である。
【０００４】
これに対して、リコーダには、一方の開口端に流入する呼気を他方の開口端から流出してエッジに供給するウインドウェイが形成されている。一方の開口端から呼気を吹き込むだけで吹き込まれた呼気がエッジに導かれるため、リコーダの演奏者は、容易に演奏を行うことができる。
【先行技術文献】
【特許文献】
【０００５】
【特許文献１】米国特許出願公開第２０１４／００１３９２５号明細書
【発明の概要】
【発明が解決しようとする課題】
【０００６】
しかし、リコーダでは、ウインドウェイがあることによって容易に音が出る反面、安定した呼気がエッジに吹き付けられるため、演奏者が思い通りに音色を変えることは困難である。
【０００７】
また、フルートの演奏者の中には、特定のアンブシュアを作ることはできるがアンブシュアを調節することができない、というような者もいる。このような演奏者は、思い通りに音色を変えることが困難である。
【０００８】
この発明は以上のような事情に鑑みてなされたものであり、エアリード楽器において、思い通りに音色を変えることを可能にする技術を提供することを目的とする。
【課題を解決するための手段】
【０００９】
この発明は、一方の開口端に流入する呼気を他方の開口端から流出してエッジに供給するウインドウェイが形成されたウインドウェイ形成部を有し、ウインドウェイ形成部をウインドウェイの長手方向に垂直な断面積が異なる他のウインドウェイ形成部に交換可能な構成としたことを特徴とするエアリード楽器を提供する。
【００１０】
この発明のエアリード楽器によれば、ウインドウェイ形成部をウインドウェイの長手方向に垂直な断面積が異なる他のウインドウェイ形成部に交換することが可能である。このようなウインドウェイ形成部の交換を行うことでウインドウェイの断面積を変えることができる。演奏者がウインドウェイの断面積を変えて呼気を吹き込むと、ウインドウェイを通過する呼気の状態（例えば流速）が変わるため、エッジに当たる呼気の状態も変わる。そして、エッジに当たる呼気の状態がかわることで、唄口を出入りする空気の振動の状態が変わり、当該エアリード楽器の発する音の音色が変わる。従って、このエアリード楽器を用いれば、演奏者は、思い通りに音色を変えることが可能となる。
【００１１】
この発明は、一方の開口端に流入する呼気を他方の開口端から流出してエッジに供給するウインドウェイであって、長手方向に垂直な断面積が異なる複数のウインドウェイが形成されたウインドウェイ形成部を有することを特徴とするエアリード楽器を提供する。この発明のエアリード楽器によれば、演奏者は、複数のウインドウェイのうちから１のウインドウェイを選択して呼気を吹き込む。これにより、演奏時のウインドウェイの断面積が実質的に変わり、当該エアリード楽器の発する音の音色が変わる。従って、このエアリード楽器においても上記発明のエアリード楽器と同様の効果が得られる。
【００１２】
この発明は、一方の開口端に流入する呼気を他方の開口端から流出してエッジに供給するウインドウェイが形成されたウインドウェイ形成部を有し、ウインドウェイ形成部は、前記ウインドウェイの長手方向に垂直な方向に摺動して長手方向に垂直な断面の一部を遮蔽する遮蔽部を有することを特徴とするエアリード楽器を提供する。この発明のエアリード楽器によれば、遮蔽部を摺動することで、ウインドウェイの断面積を変えることができる。ウインドウェイの断面積を変えて呼気を吹き込むことで、上記の発明のエアリード楽器と同様に、エッジに当たる呼気の状態が変わり、エアリード楽器の発する音の音色が変わる。従って、このエアリード楽器を用いれば、音色を変えるスキルが不十分であったとしても思い通りに音色を変えることが可能となる。
【００１３】
特許文献１には、フルートのリッププレートに関する技術が開示されている。特許文献１のリッププレート１００には、エアガイド１３０が設けられている。そして、このエアガイド１３０に呼気を吹き込むことでフルートを容易に演奏することができるようになっている。これに対して、本発明のエアリード楽器は、ウインドウェイの長手方向に垂直な断面積や断面形状を変えることが可能な構成となっている。従って、本発明のエアリード楽器は、特許文献１の技術とはまったく異なるものである。
【図面の簡単な説明】
【００１４】
【図１】この発明の第１実施形態であるエアリード楽器１の唄口２２付近の構成を示す斜視図である。
【図２】同エアリード楽器１におけるウインドウェイ形成部３０−１の構成を示す背面模式図である。
【図３】同エアリード楽器１におけるウインドウェイ形成部３０−２の構成を示す背面模式図である。
【図４】断面形状が楕円形のウインドウェイ４０に呼気を吹き込んだときのエアリード楽器１から放音される音の周波数特性の例を示す図である。
【図５】断面形状が長方形のウインドウェイ４０に呼気を吹き込んだときのエアリード楽器１から放音される音の周波数特性の例を示す図である。
【図６】この発明の第２実施形態によるエアリード楽器１Ａの唄口２２付近の構成を示す俯瞰模式図である。
【図７】この発明の第３実施形態によるエアリード楽器１Ｂの唄口２２付近の構成を示す俯瞰図である。
【図８】同エアリード楽器１Ｂの唄口２２を管軸に垂直な面で切断したときの断面図である。
【図９】この発明の第４実施形態によるエアリード楽器１Ｃの頭部管１０の構成を示す縦断面図である。
【発明を実施するための形態】
【００１５】
以下、図面を参照し、この発明の実施形態について説明する。
＜第１実施形態＞
この発明の第１実施形態によるエアリード楽器１は、リッププレート２６にウインドウェイ形成部３０を設けて改良したフルートである。図１は、エアリード楽器１の唄口２２付近の構成を示す斜視図である。
【００１６】
リッププレート２６は、エアリード楽器１の頭部管（すなわちエアリード楽器１本体）に固定されている。リッププレート２６の中央には唄口２２がある。唄口２２の周囲の一部は、エッジ２４となっている。
【００１７】
ウインドウェイ形成部３０は、ブロック状となっている。ウインドウェイ形成部３０には、当該ウインドウェイ形成部３０を貫通するウインドウェイ４０が設けられている。ウインドウェイ形成部３０は、一方の開口端３５が唄口２２のエッジ２４に対向するようにリッププレート２６に設けられている。ウインドウェイ形成部３０における他方の開口端３８は、演奏者によって呼気が吹き込まれる吹き込み口となっている。すなわち、ウインドウェイ４０は、開口端３８に流入する呼気を開口端３５から流出してエッジ２４に供給する呼気流路である。本明細書では、ウインドウェイ４０において呼気の流れる方向のことをウインドウェイ４０の長手方向と呼ぶ。ウインドウェイ４０の長手方向に垂直な断面積（以下、単にウインドウェイ４０の断面積という）は、当該ウインドウェイ４０の長手方向に一様となっている。また、ウインドウェイ４０の長手方向に垂直な断面形状も当該ウインドウェイ４０の長手方向に一様となっている。
【００１８】
エアリード楽器１では、ウインドウェイ形成部３０は、リッププレート２６に対して着脱可能になっている。より詳細に説明すると、ウインドウェイ形成部３０の開口端３５側の外壁には、当該外壁から張り出した複数の突起部３９が設けられている。一方、リッププレート２６の表面には、複数の溝部２８が設けられている。突起部３９の突起形状と溝部２８の溝形状は同様な形状（例えば直方体状）になっており、突起部３９の寸法は溝部２８の寸法とほぼ同じになっている。また、複数の突起部３９の各々の位置関係と複数の溝部２８の各々の位置関係は、ほぼ同じになっている。そして、エアリード楽器１では、ウインドウェイ形成部３０がリッププレート２６に保持される程度の摩擦力をもって各突起部３９が各溝部２８に収容される。突起部３９が溝部２８に収容されることでウインドウェイ形成部３０がリッププレート２６に取り付けられて固定される。また、ウインドウェイ形成部３０は、ウインドウェイ形成部３０とリッププレート２６とを引き離す方向に溝部２８と突起部３９との間の摩擦力を超える力が与えられるとリッププレート２６から分離される。このように、リッププレート２６には、ウインドウェイ形成部３０における取り付け部（具体的には突起部３９）に一対一で対応する受け部（具体的には溝部２８）が設けられている。一対一で対応するとは、具体的には、リッププレート２６の溝部２８とウインドウェイ形成部３０の突起部３９の形状、寸法および配置等が同様であるということである。
【００１９】
エアリード楽器１では、ウインドウェイ４０の断面積（および／または断面形状）が異なる複数のウインドウェイ形成部３０が準備されている。例えば、エアリード楽器１では、ウインドウェイ形成部３０−１とウインドウェイ形成部３０−２とが準備されている。図２は、ウインドウェイ形成部３０−１の構成を示す背面模式図であり、ウインドウェイ形成部３０−１が形成するウインドウェイ４０−１を通過する呼気の流出口となる開口端３５−１側を示している。図２に示すように、ウインドウェイ形成部３０−１の開口端３５−１の開口形状は、長方形となっている。図３は、ウインドウェイ形成部３０−２の構成を示す背面模式図であり、ウインドウェイ形成部３０−２が形成するウインドウェイ４０−２を通過する呼気の流出口となる開口端３５−２側を示している。図３に示すように、ウインドウェイ形成部３０−２の開口端３５−２の開口形状は、円形となっている。また、開口形状が長方形の開口端３５−１の開口面積（すなわち、ウインドウェイ４０−１の断面積）と、開口形状が円形の開口端３５−２の開口面積（すなわち、ウインドウェイ４０−２の断面積）とは、互いに異なっている。
【００２０】
エアリード楽器１では、ウインドウェイ４０の断面積（および／または断面形状）が異なる複数のウインドウェイ形成部３０から演奏者によって選択された１つのウインドウェイ形成部３０がリッププレート２６に装着される。図２および図３の例では、演奏者は、演奏前に演奏曲の曲調やジャンルなどに合わせてウインドウェイ形成部３０−１および３０−２のうちのいずれか１つを選択してリッププレート２６に取り付ける。また、演奏者は、演奏曲の曲調やジャンルが変わった場合などでは、リッププレート２６に取り付けられているウインドウェイ形成部３０−１または３０−２を他のウインドウェイ形成部３０−１または３０−２に付けかえる。ウインドウェイ形成部３０が交換可能であるのは、複数のウインドウェイ形成部３０における各々の取り付け部が同様な構成となっており、複数のウインドウェイ形成部３０のうちのいずれか１のウインドウェイ形成部３０の取り付け部がリッププレート２６の受け部に組み合わされるからである。このようにリッププレート２６に対してウインドウェイ形成部３０を付けかえることで、ウインドウェイ４０の断面積（および／または断面形状）を変えることができる。
【００２１】
ウインドウェイ４０の断面積を変えると、当該ウインドウェイ４０を通過する呼気の状態が変わる。例えば、ウインドウェイ４０に吹き込む呼気の量がウインドウェイ４０の断面積に依らず同じであれば、ウインドウェイ４０の断面積が小さくなると、その断面を通過する呼気の流速は大きくなる。そして、ウインドウェイ４０の開口端３５から流出してエッジ２４に当たる呼気の状態（例えばエッジ２４に当たる呼気の流速）もウインドウェイを通過する呼気の状態に応じたものとなる。エッジ２４に当たる呼気の状態が変われば、唄口２２を出入りする空気の振動の状態が変わる。このため、ウインドウェイ４０の断面積が変わると、エアリード楽器１の発する音の音色が変わる。
【００２２】
また、ウインドウェイ４０の断面形状を変えると、開口端３５から流出した呼気のエッジ２４への当たり方や当たる量が変わる。この場合もウインドウェイの断面積を変える態様と同様に、唄口２２を出入りする空気の振動の状態が変わり、エアリード楽器１の発する音の音色が変わる。
【００２３】
図４は、断面形状が楕円形のウインドウェイ４０に呼気を吹き込んだときのエアリード楽器１から放音される音の周波数特性の例を示す図である。図４に示す周波数特性では、基音の整数倍の周波数において音圧レベルのピークが発生しているが、そのピークが、低い整数倍から高い整数倍の周波数に亙って広域に発生している。すなわち、図４の場合、エアリード楽器１は、基音の整数倍の倍音成分を多く含んだ豊かな音を発する。
【００２４】
図５は、断面形状が長方形のウインドウェイ４０に呼気を吹き込んだときのエアリード楽器１から放音される音の周波数特性の例を示す図である。図５のウインドウェイ４０の断面積は、図４のウインドウェイ４０の断面積よりも小さくなっている。図５に示す周波数特性では、基音の整数倍の周波数における音圧レベルのピークの大きさが、図４に示す周波数特性に比べて小さくなっており、当該ピークは、特に高い周波数において目立たなくなっている。すなわち、図４のウインドウェイ４０の断面積に比べてウインドウェイ４０の断面積が小さくなると、基音の整数倍の周波数成分が少ない純音的な音を発する。
【００２５】
以上のように、本実施形態のエアリード楽器１では、リッププレート２６にウインドウェイ形成部３０を設けて呼気をエッジ２４に導くようにしたため、リコーダのようにウインドウェイ形成部３０の開口端３８側を口でくわえて開口端３８に呼気を吹き込むだけで容易に演奏することができる。また、エアリード楽器１では、ウインドウェイ形成部３０をウインドウェイ４０の長手方向に垂直な断面積（および／または断面形状）が異なる他のウインドウェイ形成部３０に交換して、ウインドウェイ４０の長手方向に垂直な断面積（および／または断面形状）を変えることで、エアリード楽器１の発する音の音色を容易に変えることができる。従って、エアリード楽器１を用いれば、演奏者は、思い通りに音色を変えることができる。このようにエアリード楽器１を用いれば、演奏者は、表現が豊かな演奏を簡単に行うことができる。
【００２６】
ウインドウェイ形成部３０、３０−１および３０−２のウインドウェイ４０、４０−１および４０−２の断面形状は図１〜図３に例示した形状に限らない。また、ウインドウェイ４０、４０−１および４０−２の断面積の大小関係も、図１〜図３に例示した関係に限らない。また、ウインドウェイ４０の断面積（および／または断面形状）が異なるウインドウェイ形成部３０を２個よりも多く準備しておいても良い。
【００２７】
＜第２実施形態＞
図６は、この発明の第２実施形態によるエアリード楽器１Ａの唄口２２付近の構成を示す俯瞰模式図である。本実施形態のエアリード楽器１Ａは、リッププレート２６に代えてリッププレート２６Ａを有し、ウインドウェイ形成部３０に代えてウインドウェイ形成部３０Ａを有する点において第１実施形態のエアリード楽器１と異なる。
【００２８】
リッププレート２６Ａは、溝部２８が設けられていない点において第１実施形態のリッププレート２６と異なる。また、ウインドウェイ形成部３０Ａは、突起部３９が設けられていない点において第１実施形態のウインドウェイ形成部３０と異なる。本実施形態のエアリード楽器１Ａでは、ウインドウェイ形成部３０Ａとリッププレート２６Ａとが互いに接合して一体となっている。
【００２９】
また、ウインドウェイ形成部３０Ａは、複数のウインドウェイが形成されたマルチウインドウェイ形成部である点において第１実施形態のウインドウェイ形成部３０と異なる。
【００３０】
図６に例示するウインドウェイ形成部３０Ａは、断面形状が円形のウインドウェイ４０Ａ−１と、断面形状が長方形のウインドウェイ４０Ａ−２と、断面形状が半円環状のウインドウェイ４０Ａ−３とを有している。ウインドウェイ４０Ａ−１の断面積、ウインドウェイ４０Ａ−２の断面積およびウインドウェイ４０Ａ−３の断面積は、それぞれ異なっている。
【００３１】
ウインドウェイ４０Ａ−１における呼気流入口となる開口端３８Ａ−１と、ウインドウェイ４０Ａ−２における呼気流入口となる開口端３８Ａ−２と、ウインドウェイ４０Ａ−３における呼気流入口となる開口端３８Ａ−３とは、頭部管の軸に沿って並べて配置されている。また、ウインドウェイ４０Ａ−１における呼気流出口となる開口端３５Ａ−１、ウインドウェイ４０Ａ−２における呼気流出口となる開口端３５Ａ−２、ウインドウェイ４０Ａ−３における呼気流出口となる開口端３５Ａ−３の各々は、唄口２２のエッジ２４に対向している。
【００３２】
エアリード楽器１Ａの演奏者は、複数のウインドウェイ４０Ａ−１〜４０Ａ−３のうちから選択した１つのウインドウェイ４０Ａ−１〜４０Ａ−３の開口端３８Ａ−１〜３８Ａ−３から呼気を吹き込んで演奏する。また、演奏者は、口の位置を頭部管の軸方向にずらすことによって呼気を吹き込む開口端３８Ａ−１〜３８Ａ−３を変えることができる。呼気を吹き込む開口端３８Ａ−１〜３８Ａ−３を変えることで、ウインドウェイ４０Ａ−１〜４０Ａ−３の断面積（および／または断面形状）を変えることができる。
【００３３】
以上のように、本実施形態のエアリード楽器１では、演奏時のウインドウェイの断面積（および／または断面形状）を実質的に変えることができるため、第１実施形態と同様に、エアリード楽器１Ａが発する音の音色を容易に変えることができる。従って、本実施形態においても第１実施形態と同様の効果が得られる。また、本実施形態のエアリード楽器１Ａでは、呼気を吹き込む開口端３８Ａ−１〜３８Ａ−３を変えるだけで音色を変えることができるため、第１実施形態のエアリード楽器１に比べ、すばやく音色を変えることができる。
【００３４】
ウインドウェイ形成部３０Ａは、ウインドウェイ４０Ａ−１〜４０Ａ−３を有していた。しかし、ウインドウェイ形成部が有するウインドウェイの個数は、３個に限らず、２個であっても良いし、４個以上であっても良い。
【００３５】
＜第３実施形態＞
第１実施形態のエアリード楽器１では、演奏者のスキルに依らず簡単に演奏することができるため、フルートの初心者なども容易に演奏することが可能であった。これに対し、この発明の第３実施形態では、演奏スキルが初心者ほど低くはないが、上級者のように高くもないような演奏者をターゲットとして、その演奏者のスキルに依らず容易に音色を変えることができるエアリード楽器を提供する。例えば、フルートの演奏において特定のアンブシュアを作って唄口のエッジに呼気を吹き付けて演奏することはできるが、アンブシュアを調節して音色を変えることが困難な演奏者をターゲットとする。
【００３６】
図７は、この発明の第３実施形態によるエアリード楽器１Ｂの唄口２２付近の構成を示す俯瞰図である。図８は、エアリード楽器１Ｂの唄口２２を管軸に垂直な面で切断したときの断面図である。本実施形態のエアリード楽器１Ｂは、リッププレート２６に代えてリッププレート２６Ｂを有し、ウインドウェイ形成部３０に代えてウインドウェイ形成部５０を有し、抜け防止部５４を追加した点において第１実施形態のエアリード楽器１と異なる。リッププレート２６Ｂは、溝部２８が設けられていない点において第１実施形態のリッププレート２６と異なる。
【００３７】
ウインドウェイ形成部５０は、遮蔽部５２とプレート５１とを有している。プレート５１は、リッププレート２６Ｂの上面と略同形状の上面を有する略板状の部材である。プレート５１は、リッププレート２６Ｂを覆うように配置されている。プレート５１の外縁付近の背面部分は、リッププレート２６Ｂへ向けて突出しており、リッププレート２６Ｂの外縁付近における上面に固定されている。すなわち、ウインドウェイ形成部５０は、リッププレート２６Ｂの上面に固定されている。
【００３８】
プレート５１の中央には、当該プレート５１を貫通する貫通孔６２が設けられている。貫通孔６２は、リッププレート２６Ｂの中央の唄口２２の上方において開口するように設けられている。エアリード楽器１Ｂの演奏者は、プレート５１の上面に唇を押し当てて貫通孔６２に呼気を吹き込むように演奏する。このため、貫通孔６２におけるプレート５１の上面側の開口端は、呼気吹き込み口である。吹き込まれた呼気は、貫通孔６２におけるプレート５１の背面側（リッププレート２６Ｂ側）の開口端から流出して、リッププレート２６Ｂの唄口２２の周囲の一部のエッジ２４に導かれる。すなわち、貫通孔６２は、呼気をエッジ２４に供給するウインドウェイ６０として機能する。
【００３９】
遮蔽部５２は、長方形の板状をなしている。遮蔽部５２は、その長辺が頭部管７０（エアリード楽器１Ｂ本体）の軸に沿う姿勢でプレート５１とリッププレート２６Ｂとの間に配置されている。遮蔽部５２の一方の短辺５３近傍は、プレート５１から露出している。
【００４０】
遮蔽部５２は、その板面の一部が貫通孔６２におけるプレート５１の背面側の開口面の一部に重なるように配置されている。遮蔽部５２は、ウインドウェイ６０における呼気の流出側の開口面の一部を遮蔽する。
【００４１】
遮蔽部５２は、プレート５１の背面に沿って頭部管７０の周方向に摺動可能になっている。エアリード楽器１Ｂでは、遮蔽部５２を摺動することで、ウインドウェイ６０における呼気の流出側の開口面の開口面積を変えることができる。すなわち、エアリード楽器１Ｂでは、ウインドウェイ６０の長手の一部（具体的には呼気の流出側の開口面）における当該ウインドウェイ６０の長手方向に垂直な断面の断面積を変えることができる。
【００４２】
また、遮蔽部５２は、プレート５１に対して反対の板面（すなわちリッププレート２６Ｂに対向する板面）の一部が唄口２２の開口面の一部に重なるようにも配置されている。すなわち、遮蔽部５２は、ウインドウェイ６０における断面の一部を遮蔽するとともに、唄口２２の開口面の一部も遮蔽する。遮蔽部５２がプレート５１の背面に沿って摺動すると、当該遮蔽部５２が唄口２２の開口面に沿って摺動することになるため、エアリード楽器１Ｂでは、ウインドウェイ６０の断面積とともに、唄口２２の開口面積を変えることができる。
【００４３】
さらに具体的には、遮蔽部５２は、唄口２２の周囲におけるエッジ２４の反対の縁（図７の例では図面に向かって下側の縁）側からエッジ２４側の縁に向かって摺動可能となっている。すなわち、遮蔽部５２は、ウインドウェイ６０によるエッジ２４への呼気の供給を妨げることなく、ウインドウェイ６０における呼気の流出側の開口面の開口面積を変えることができる。エッジ２４への呼気の供給が妨げられないため、演奏が妨げられることはない。また、エッジ２４の位置が変わらないため、プレート５１に唇を当てて演奏する際の唇を当てる位置を遮蔽部５２の位置に応じて変える必要がなく、特定のアンブシュアを調節する必要もない。
【００４４】
遮蔽部５２の他方の短辺側は、抜け防止部５４に保持されている。抜け防止部５４は、頭部管７０の外周に沿って設けられている。抜け防止部５４は、遮蔽部５２が当該エアリード楽器１Ｂから分離しないように保持する役割を果たす。また、抜け防止部５４は、遮蔽部５２の摺動可能範囲を制限する役割も果たす。
【００４５】
演奏者は、プレート５１の貫通孔６２に呼気を吹き込む前に、遮蔽部５２の短辺５３近傍を頭部管７０の周方向に移動してウインドウェイ６０の断面積（および唄口２２の開口面積）を変える。ウインドウェイ６０の断面積が変わると、ウインドウェイ６０を通過する呼気の状態が変わり、エッジ２４に当たる呼気の状態が変わる。エッジ２４に当たる呼気の状態が変わると、唄口２２およびウインドウェイ６０を出入りする空気の流量が変わり、唄口２２およびウインドウェイ６０における空気の振動の状態が変わる。このため、エアリード楽器１Ｂの発する音の音色が変わる。
【００４６】
以上のように、本実施形態のエアリード楽器１Ｂのウインドウェイ形成部５０は、ウインドウェイ６０の長手の一部においてウインドウェイ６０の長手方向に垂直な方向に摺動してウインドウェイ６０の長手方向に垂直な断面の一部を遮蔽する遮蔽部５２を有している。エアリード楽器１Ｂでは、遮蔽部５２を摺動することで、ウインドウェイ６０の断面積（および／まはた断面形状）を変えることができ、エアリード楽器１Ｂの発する音の音色を容易に変えることができる。従って、エアリード楽器１Ｂを用いれば、演奏者は、音色を変えるスキルが不十分であったとしても、思い通りに音色を変えることができる。
【００４７】
＜第４実施形態＞
第１〜第３実施形態のエアリード楽器１〜１Ｂは、フルートを改良したものであった。これに対して、この発明の第４実施形態によるエアリード楽器１Ｃは、リコーダを改良したものである。図９は、本実施形態のエアリード楽器１Ｃの頭部管１０の構成を示す縦断面図である。エアリード楽器１Ｃは、頭部管１０、中部管（図示略）および足部管（図示略）から構成されているが、中部管および足部管は、従来のリコーダのそれらと同じであるため図示および説明を省略する。
【００４８】
エアリード楽器１Ｃの頭部管１０は、胴部１１とウインドウェイ形成部１２とに区分することができる。胴部１１は、中空の略円筒形状をなしている。胴部１１の一端は開口しており、この開口端１９には胴部管が接続される。胴部１１の他端は、ウインドウェイ形成部１２に連続している。具体的には、胴部１１とウインドウェイ形成部１２とは、接着剤等で接合されている。ウインドウェイ形成部１２に連続する胴部１１の管壁の一部には、管壁を貫通する窓部１３が設けられている。この窓部１３付近の管壁は、開口端１９側から窓部１３に向かってその肉厚が徐々に薄くなってエッジ１４となっている。
【００４９】
ウインドウェイ形成部１２は、ブロック状の部材である。ウインドウェイ形成部１２には、頭部管１０の長手方向に貫通して窓部１３において開口するウインドウェイ１５が形成されている。ウインドウェイ１５の窓部１３側の開口端１６は、エッジ１４に対向している。ウインドウェイ１５の窓部１３に対して反対側の開口端１７は、呼気が導入される唄口である。すなわち、ウインドウェイ１５は、開口端１７に流入する呼気を開口端１６から流出してエッジ１４に供給する。また、頭部管１０の長手方向に垂直な方向のウインドウェイ形成部１２の太さは、唄口である開口端１７に進むにしたがって細くなっている。
【００５０】
胴部１１は、容易に変形しない素材（例えば、合成樹脂や木材）で構成されている。これに対して、エアリード楽器１Ｃのウインドウェイ形成部１２は、柔軟性を有する素材（より具体的には、ゴムなどの弾性体）によって構成されている。これにより、ウインドウェイ形成部１２は、外力が与えられると容易に変形（弾性変形）する。そして、ウインドウェイ形成部１２が変形すると、その変形に応じてウインドウェイ１５も変形する。例えば、ウインドウェイ形成部１２の開口端１７付近を口でくわえてその部分を歯で噛むと、その部分のウインドウェイ形成部１２が窪んで、その位置におけるウインドウェイ１５の断面形状が変わり断面積が小さくなる。その状態で呼気が吹き込まれると、断面積が小さくなった部分を呼気が通過するため、ウインドウェイ１５を通過する呼気の状態が変わり、エッジ１４に当たる呼気の状態も変化する。そして、窓部１３を出入りする空気の振動の状態が変わる。
【００５１】
以上のように、エアリード楽器１Ｃは、リコーダであり、ウインドウェイ１５が形成されたウインドウェイ形成部１２を有しているため、容易に演奏することができる。また、エアリード楽器１Ｃは、ウインドウェイ１５の長手方向における少なくとも一部の区間の断面積（および／または断面形状）を変えることができる。ウインドウェイ１５の断面積（および／または断面形状）を変えることができる点において第１実施形態と同様であるため、本実施形態においても、エアリード楽器１Ｃの発する音の音色を容易に変えることができる。従って、本実施形態においても、第１実施形態と同様の効果が得られる。また、エアリード楽器１Ｃでは、演奏の途中においてもエアリード楽器１Ｃの発する音の音色を変えることができる。
【００５２】
また、エアリード楽器１Ｃでは、ウインドウェイ形成部１２が弾性体によって構成されているため、演奏者がウインドウェイ形成部１２に歯で与えていた外力を開放すると、ウインドウェイ形成部１２は元の形状に復元される。ウインドウェイ形成部１２が元の形状に復元されると、ウインドウェイ１５の断面形状が元の形状に復元され、ウインドウェイ１５の断面積は、通常の大きさに戻る。従って、エアリード楽器１Ｃでは、発する音の音色を従来のリコーダと同様の音色に容易に戻すことができる。
【００５３】
＜他の実施形態＞
以上、この発明の第１〜第４実施形態について説明したが、この発明には他にも実施形態が考えられる。例えば次の通りである。
【００５４】
（１）第１実施形態のエアリード楽器１では、突起部３９を溝部２８に収容することによってウインドウェイ形成部３０をリッププレート２６に取り付けていた。しかし、リッププレート２６に対するウインドウェイ形成部３０の着脱を可能にする具体的な態様は、突起部３９および溝部２８に限らない。例えば、リッププレート２６とウインドウェイ形成部３０の両方に磁石を設けたり、リッププレート２６とウインドウェイ形成部３０のいずれか一方に磁石を設け他方に鉄材を設けたりして、磁力によってウインドウェイ形成部３０を着脱可能にするという具合である。また、図１〜３では、突起部３９および溝部２８の具体的な形状を直方体のように例示したが、突起部３９および溝部２８の具体的な形状はこれに限らない。また、突起部３９および溝部２８の個数も図１〜３に例示した数に限らない。また、リッププレート２６に突起部３９を設け、ウインドウェイ形成部３０に溝部２８を設けても良い。
【００５５】
（２）第１実施形態のエアリード楽器１では、リッププレート２６がエアリード楽器１本体（より正確には頭部管）に固定されて、リッププレート２６がエアリード楽器１本体と一体となっていた。しかし、エアリード楽器本体に対してリッププレートを着脱可能な構成としても良い。そして、エアリード楽器（例えばフルート）の唄口に装着するアタッチメント（例えばリッププレートタイプのアタッチメント）として提供しても良い。そのエアリード楽器用アタッチメントは、ウインドウェイを形成するウインドウェイ形成部が設けられており、そのウインドウェイの長手方向に垂直な断面積を変えることが可能な構成となっている、という具合である。このエアリード楽器用アタッチメントでは、第１実施形態のように複数のウインドウェイ形成部から選択された１のウインドウェイ形成部をリッププレートに装着することでウインドウェイの断面積（および／または断面形状）を変えるようにしても良いし、第２実施形態のように、断面積（および／または断面形状）が異なる複数のウインドウェイが形成されたマルチウインドウェイ形成部を有することでウインドウェイの断面積（および／または断面形状）を変えるようにしても良い。また、ウインドウェイの断面積（および／または断面形状）が異なる複数のエアリード楽器用アタッチメントから選択された１のエアリード楽器用アタッチメントを唄口に装着するようにしても良い。
【００５６】
（３）この変形例のエアリード楽器は、リコーダを改良したものであり、頭部管において胴部とウインドウェイ形成部とが分離可能になっている。具体的には、胴部におけるウインドウェイ形成部側の先端には、窪み（受け部）が設けられており、ウインドウェイ形成部における胴部側の先端には、胴部の窪みに対応する突起（取り付け部）が設けられている。この変形例のエアリード楽器では、ウインドウェイの長手方向に垂直な断面積が異なる複数のウインドウェイ形成部が準備されており、そのうちのいずれか１のウインドウェイ形成部の突起（取り付け部）が胴部の窪み（受け部）に組み合わされる。この変形例のエアリード楽器においても、第１実施形態のエアリード楽器１と同様に、ウインドウェイ形成部をウインドウェイの断面積が異なる他のウインドウェイ形成部に交換可能であるため、第１実施形態と同様の効果が得られる。このように、ウインドウェイ形成部をウインドウェイの断面積が異なる他のウインドウェイ形成部に交換可能なエアリード楽器は、第１実施形態のフルートに限らない。また、この変形例のエアリード楽器において、胴部に突起を設け、ウインドウェイ形成部に突起に対応する窪みを設けても良い。また、胴部とウインドウェイ形成部とは、磁力によって着脱可能であっても良い。
【００５７】
（４）第２実施形態のエアリード楽器１Ａでは、ウインドウェイ形成部３０Ａが形成する複数のウインドウェイ４０Ａ−１〜４０Ａ−３の位置が固定されていた。しかし、ウインドウェイ形成部は、当該ウインドウェイ形成部が形成する複数のウインドウェイの各位置を移動可能に構成しても良い。例えば、第２実施形態において、ウインドウェイ形成部３０Ａのリッププレート２６Ａとの接合部に管軸に沿ったレールを設けるなどして、ウインドウェイ形成部３０Ａを管軸に沿った方向に摺動可能にしても良い。このような構成にすると、ウインドウェイ形成部３０Ａの摺動に応じてウインドウェイ４０Ａ−１〜４０Ａ−３の各位置が移動するため、エッジ２４の真正面に対向する位置に所望のウインドウェイ４０Ａ−１〜４０Ａ−３の開口端３５Ａ−１〜３５Ａ−３を配置することができる。従って、この場合、ウインドウェイ形成部３０Ａの隅に形成されたウインドウェイ４０Ａ−１および４０Ａ−３の開口端３５Ａ−１および３５Ａ−３をエッジ２４の真正面に配置することで、当該ウインドウェイ４０Ａ−１および４０Ａ−３に呼気を吹き込んだとしても、エアリード楽器１Ａの発する音のピッチがずれるかもしれないという心配を減らすことができる。
【００５８】
（５）第１実施形態の技術的特徴と第２実施形態の技術的特徴を組み合わせて、複数のウインドウェイ４０Ａ−１〜４０Ａ−３が形成されたウインドウェイ形成部３０Ａをリッププレート２６Ａに対して着脱可能にしても良い。この態様によれば、ウインドウェイ形成部３０Ａを、複数のウインドウェイの各断面積（および／または断面形状）のパターンが異なる他のウインドウェイ形成部に交換可能であるため、断面積（および／または断面形状）の選択肢が第２実施形態のエアリード楽器１Ａに比べてより多くなる。従って、この態様によれば、第２実施形態に比べてエアリード楽器の発する音の音色をより多彩に変えることができる。
【００５９】
（６）第３実施形態のエアリード楽器１Ｂの遮蔽部５２は、唄口２２の周囲におけるエッジ２４の反対の縁側からエッジ２４側の縁に向かって摺動可能となっていた。これは、ウインドウェイ６０によるエッジ２４への呼気の供給を妨げないようにするためであった。しかし、遮蔽部５２の摺動方向はこの方向に限らず、例えば、遮蔽部は、頭部管７０の管軸方向に摺動可能であっても良い。この態様では、遮蔽部による遮蔽面積の増加に応じて唄口２２の周囲におけるエッジ２４として機能する範囲が狭くなるが、エッジ２４に呼気が供給されることに変わりはないからである。
【００６０】
（７）第３実施形態のエアリード楽器１Ｂの遮蔽部５２は、ウインドウェイ６０の断面の一部を遮蔽するとともに唄口２２の開口面の一部を遮蔽していた。しかし、ウインドウェイ形成部の遮蔽部は、ウインドウェイの断面と唄口の開口面の両方を遮蔽する態様に限らず、少なくともウインドウェイの断面の一部を遮蔽可能であれば良い。
【００６１】
（８）第４実施形態のエアリード楽器１Ｃでは、ウインドウェイ形成部１２の全体が柔軟性を有する素材によって構成されていた。しかし、ウインドウェイ形成部１２の全体が柔軟性を有する素材によって構成される態様に限らず、ウインドウェイ形成部１２における一部（より正確には、ウインドウェイ１５の長手方向の一区間を形成する部分）が柔軟性を有する素材によって構成されても良い。例えば、ウインドウェイ形成部１２における太さが細くなり始める部分から開口端１７までの区間を柔軟性を有する素材により構成し、当該太さが細くなり始める部分から開口端１６までの区間を容易に変形しない素材により構成する、という具合である。この場合、ウインドウェイ形成部１２における太さが細くなり始める部分から開口端１７までの区間のウインドウェイ１５の断面積を変えることが可能であるため、第４実施形態と同様の効果が得られる。
【００６２】
（９）第４実施形態のエアリード楽器１Ｃの胴部１１は、従来のリコーダのその部分と同様に、容易に変形しない素材によって構成されていた。しかし、胴部１１もウインドウェイ形成部１２と同様に、柔軟性を有する素材によって構成されても良い。また、中部管や足部管もウインドウェイ形成部１２と同様に、柔軟性を有する素材によって構成されても良い。ただし、中部管や足部管にはピッチを指定するための操作孔があるため、中部管や足部管は、容易に変形しない素材によって構成される方が好ましい。
【００６３】
（１０）第４実施形態のエアリード楽器１Ｃのウインドウェイ形成部１２は、弾性体により構成されていた。これに代えて、ウインドウェイ形成部（あるいはウインドウェイ形成部の一部）は、加熱すると柔軟になり、冷やすとその形状が維持され、再加熱すると元の形状に戻る形状記憶ポリマー（特公平０５−０４７３８６参照）のような素材により構成されても良い。
【００６４】
（１１）各実施形態の技術的特徴を組み合わせても良い。例えば、第１実施形態のウインドウェイ形成部３０を弾性体により構成しても良い。この態様においても、ウインドウェイの断面積を変えることができるため各実施形態と同様の効果が得られる。
【００６５】
（１２）第１〜第４実施形態のエアリード楽器１〜１Ｃは、フルートまたはリコーダを改良したものであった。しかし、フルートやリコーダに限らず、例えば尺八やオカリナなどその他のエアリード楽器に各実施形態の技術的特徴を付加しても良い。
【００６６】
（１３）第１実施形態のエアリード楽器１は、一方の開口端に流入する呼気を他方の開口端から流出してエッジに供給するウインドウェイを有するウインドウェイ形成部をエアリード楽器本体（より正確には、リッププレートを含むエアリード楽器本体）に対して着脱可能なエアリード楽器の提供方法であって、エアリード楽器本体を提供するステップと、長手方向に垂直な断面積が異なる複数のウインドウェイ形成部を提供するステップと、を有することを特徴とするエアリード楽器の提供方法によって演奏者に提供される。この際、エアリード楽器本体を提供するステップと複数のウインドウェイ形成部を提供するステップとは、いずれが先であっても良いし同時であっても良い。
【符号の説明】
【００６７】
１，１Ａ，１Ｂ，１Ｃ…エアリード楽器、１０…頭部管、１１…胴部、１２，３０，３０−１，３０−２，３０Ａ，５０…ウインドウェイ形成部、１３…窓部、１４，２４…エッジ、１５，４０，４０−１，４０−２，４０Ａ−１，４０Ａ−２，４０Ａ−３，６０…ウインドウェイ、１６，１７，１９，３５，３５−１，３５−２，３５Ａ−１，３５Ａ−２，３５Ａ−３，３８，３８Ａ−１，３８Ａ−２，３８Ａ−３…開口端、２２…唄口、２６，２６Ａ，２６Ｂ…リッププレート、２８…溝部、３９…突起部、５１…プレート、５２…遮蔽部、５３…短辺、５４…抜け防止部、６２…貫通孔、７０…頭部管。
【図１】
2017068110.tif 000003
【図２】
2017068110.tif 000004
【図３】
2017068110.tif 000005
【図４】
2017068110.tif 000006
【図５】
2017068110.tif 000007
【図６】
2017068110.tif 000008
【図７】
2017068110.tif 000009
【図８】
2017068110.tif 000010
【図９】
2017068110.tif 000011